(57)【要約】      （修正有）【課題】ドクター刃の研磨作業によって生じるドクター刃磨耗粉による研磨具合のムラをなくし、印刷不良および印刷濃度が経時変化することがないドクター刃研磨装置を提供する。【解決手段】グラビア印刷版胴表面に余分に供給されたインキを掻き取るためのドクターのドクター刃を研磨するドクター刃研磨装置において、グラビアシリンダー３０の外形に相似するシリンダー型砥石５０と、シリンダー型砥石５０の周面に設けられた研磨部と、シリンダー型砥石を回転駆動する回転駆動手段と、ドクター刃を可動自在に支持し、かつドクター刃を研磨部に押圧する手段と、研磨部に残存するドクター刃磨耗粉を除去する除去手段２００とを具備するドクター刃研磨装置。【選択図】図５
2008221449.tif 000002
【特許請求の範囲】
【請求項１】
グラビア印刷版胴表面に余分に供給されたインキを掻き取るためのドクターのドクター刃を研磨するドクター刃研磨装置において、
グラビアシリンダーの外形に相似するシリンダー型砥石と、
前記シリンダー型砥石の周面に設けられた研磨部と、
前記シリンダー型砥石を回転駆動する回転駆動手段と、
ドクター刃を可動自在に支持し、かつ前記ドクター刃を前記研磨部に押圧する手段と、
前記研磨部に残存するドクター刃磨耗粉を除去する除去手段とを具備することを特徴とするドクター刃研磨装置。
【請求項２】
前記研磨部が研磨砥粒粉を固着した研磨面であることを特徴とする請求項１記載のドクター刃研磨装置。
【請求項３】
前記除去手段が前記シリンダー型砥石長手方向と平行に往復移動可能である土台治具と、前記土台治具に付設される除去具と、前記除去具を前記研磨部に押圧する手段とを具備することを特徴とする請求項１または２記載のドクター刃研磨装置
【請求項４】
グラビア印刷版胴表面に余分に供給されたインキを掻き取るためのドクターのドクター刃を研磨するドクター刃研磨方法において、
グラビアシリンダーの外形に相似し、かつその周面に研磨部を有するシリンダー型砥石を回転駆動する回転駆動工程と、
前記ドクター刃を可動自在に支持する支持工程と、
前記ドクター刃を前記研磨部に押圧し、ドクター刃を研磨する研磨工程と、
前記研磨部に付着したドクター刃磨耗粉を除去する除去具を前記研磨部に当接させ、磨耗粉を除去する除去工程と
を含むことを特徴とするドクター刃研磨方法。
【請求項５】
前記除去工程が、前記シリンダー型砥石長手方向に対して略平行に往復移動可能な土台治具に付設される除去具を用い、かつ前記除去具を前記研磨部に押圧して行われることを特徴とする請求項４記載のドクター刃研磨方法。
【発明の詳細な説明】
【技術分野】
【０００１】
本発明はグラビア印刷の技術分野に属する。特にグラビア印刷版胴表面に余分に供給されたインキを版面から掻き取るためのドクター刃を研磨するドクター刃研磨装置等に関する。
【背景技術】
【０００２】
従来、グラビア印刷版胴表面に余分に供給されたインキを版面から掻き取るためのドクター刃を研磨する方法として、ドクターホルダに組み込んだドクター刃を印刷ユニット内において作業者が砥石またはヤスリを使用して手作業で研磨する方法が行われている。しかし、手作業による研磨では作業者の熟練度によって研磨の仕上がりが異なり、またドクター刃の長手方向における研磨具合にバラつきが生じ、印刷物の印刷濃度にバラつきが生じる。さらに研磨作業時に危険を伴うことがあり、かつ研磨作業に時間がかかるという問題がある。
【０００３】
そこで、基台上に固定されたドクターに沿って往復移動可能な自走式の研磨ヘッドを有し、自動でドクター刃を研磨するドクター刃研磨装置の発明が開示されている（特許文献１）。しかし、前記のドクター研磨装置を用いて研磨した研磨面と実際の印刷版面とが一致せず、印刷中、ドクター刃の磨耗によりドクター刃と版面との接触面積が変化することにより印刷濃度が経時変化するという問題がある。また、シリンダー周面に対し高低差を有する箇所に、ドクター刃を研磨する部材を備えた印刷機の提案がされている（特許文献２）。しかし、研磨により生じたドクター刃磨耗粉のインキへの混入や、ドクター刃に付着することによる研磨ムラによって印刷品質の不良を引き起こすという問題がある。また、シリンダー型本体部分の周面にドクター刃を研磨するための研磨面を有するシリンダー型砥石および前記シリンダー型砥石を備えたドクター刃研磨装置および方法の発明が開示されている（特許文献３）。研磨面は、微細な研磨砥粒粉が敷設され非常に細精度のドクター刃研磨が可能である。しかし、研磨面内に配設し、隣り合う砥粒粉同士は完全に密着した構造をとっているわけではなく、微細な間隙が存在している。この間隙にドクター刃の磨耗粉が付着・残存し研磨ムラを引き起こす。結果、研磨ムラによる印刷品質の不良が生じるといった問題がある。
【特許文献１】特開平０４−３７２３５０号公報
【特許文献２】特許第３６０８２７６号公報
【特許文献３】特開２００６−７５９２６号公報
【発明の開示】
【発明が解決しようとする課題】
【０００４】
本発明は上記の問題を解決するためになされたものである。その目的は、作業者の熟練度を必要とせず、ドクター刃先の磨耗により接触面積が経時変化せず、そのため印刷濃度が経時変化せず、研磨によって生じた磨耗粉のインキへの混入や、残存する磨耗粉による研磨ムラが原因となる印刷品質不良を引き起こさないようにすることにある。そして、そのためのドクター刃研磨装置等を提供することにある。
【課題を解決するための手段】
【０００５】
本発明に係るドクター刃研磨装置は、グラビア印刷版胴表面に余分に供給されたインキを掻き取るためのドクターのドクター刃を研磨するドクター刃研磨装置において、グラビアシリンダーの外形に相似するシリンダー型砥石と、前記シリンダー砥石の周面に設けられた研磨部と、前記シリンダー型砥石を回転駆動する回転駆動手段と、ドクター刃を可動自在に支持し、かつ前記ドクター刃を前記研磨部に押圧する手段と、前記研磨部に残存するドクター刃磨耗粉を除去する除去手段とを具備することを特徴とする。
本発明に係るドクター刃研磨方法は、グラビア印刷版胴表面に余分に供給されたインキを掻き取るためのドクターのドクター刃を研磨するドクター刃研磨方法において、グラビアシリンダーの外形に相似し、かつその周面に研磨部を有するシリンダー型砥石を回転駆動する回転駆動工程と、前記ドクター刃を可動自在に支持する支持工程と、前記ドクター刃を前記研磨部に押圧し、ドクター刃を研磨する研磨工程と、前記研磨部に付着したドクター刃磨耗粉を除去する除去具を前記研磨部に当接させ、磨耗粉を除去する除去工程とを含むことを特徴とする。
【発明の効果】
【０００６】
本発明に係るドクター刃研磨装置によれば、研磨面がグラビアシリンダー周面と一致しているため、印刷時においてドクター刃先の磨耗により接触面積が経時変化しない。かつ、研磨面に付着・残存するドクター刃磨耗粉を除去するため、ドクター刃の研磨ムラを防ぎ、印刷品質の低下を防ぐことができる。
また、本発明に係るドクター刃研磨方法によれば、研磨面がグラビアシリンダー周面と一致しているため、印刷時においてドクター刃先の磨耗により接触面積が経時変化しない。かつ、研磨面に付着・残存するドクター刃磨耗粉を除去するため、ドクター刃の研磨ムラを防ぎ、印刷品質の低下を防ぐことができる。
【発明を実施するための最良の形態】
【０００７】
次に、本発明の実施の形態について図を参照しながら説明する。図１は本発明のドクター刃研磨装置において周面に研磨部を有するシリンダー型砥石５０を使用しドクター刃を研磨するときの態様の一例を示す概略図である。図２は図１に示すドクター研磨装置概略の上面図である。図３は図１に示すドクター研磨装置概略の断面図（図２のＡ−Ａ）である。図４は本発明のドクター刃研磨装置における除去手段の一例を示す上面図である。図５は本発明ドクター刃研磨装置における除去手段の一例を示す断面図（図４のＢ−Ｂ）である。
【０００８】
ドクターホルダ１０はドクター刃１００を２枚の金属板によって挟持する部材である。それら２枚の金属板は、一例を図３に示すように、ホルダ上板１１ａとホルダ下板１１ｂである。ドクター刃１００はドクターホルダ１０によって挟持された一体の状態でドクター刃研磨装置への着脱が行われる。ドクターホルダ１０はドクター刃研磨装置に専用の支持具とすることができる一方、そのドクター刃１００を使用するグラビア印刷機専用の支持具として流用することができる。これにより、ドクター刃の研磨面とグラビア印刷の版面とを一致させることが容易となり、またドクター刃１００をドクターホルダ１０に再度調整し保持する作業負荷が軽減されるため好適である。
【０００９】
ドクター架台２０はドクターホルダ１０を保持し固定する保持機構とともに、ドクター刃１００の長手方向に対する前後調節機構３０ａ,３０ｂを備えている。
【００１０】
前後調節機構３０ａ,３０ｂは例えば、ドクターホルダ１０における後方部（ドクター刃１００の刃先と反対の辺）に接するネジ付き棒部材と、そのネジ付き棒部材を支持するドクター架台２０に固定したネジ孔部材と、ネジ付き棒部材を手操作で回転するための前後調節ハンドル３１ａ,３１ｂから構成される。前後調整機構３０ａ,３０ｂはその前後調整ハンドル３１ａ,３１ｂを作業者が回転操作し、ドクター刃１００をシリンダー型砥石５０に対して近づけたり、遠ざけたりするための機構を有する。
【００１１】
上下調整機構４０はドクター架台２０の上下方向の位置を調整する機構である。例えば、上下調整機構４０はドクター刃研磨装置のフレームとドクター架台２０の間に設けられた周知の直線移動機構、アームとその回転機構、等を適用することができる。
【００１２】
上記の前後調節機構３０ａ,３０ｂおよび上下調整機構４０によりドクター刃１００が実際の印刷版胴の版面に当接する角度と略同一の接触角条件を満たす研磨作業が行われる。これにより、ドクター刃の研磨面と実際の印刷版面とが一致し、ドクター刃と版面との接触角および接触面積の経時変化による印刷濃度の経時変化をなくすことができる。
【００１３】
周面に研磨部を備えたシリンダー型砥石５０は、グラビア印刷版胴の外形に相似した円柱および円筒であり、周面には研磨砥粒粉が固着した研磨部が設けられ、これによりドクター刃を研磨する。なお、シリンダー砥石の製造法に関しては、特許文献３に開示されているため、本明細書において記載を省略する。
シリンダー形状は軸が付いた軸付きシリンダー、軸無しシリンダー（スリーブシリンダー）のいずれであってもよい。シリンダー型砥石５０が軸付きシリンダーの時はドクター研磨装置が軸付シリンダー用の軸受を備える。またシリンダー型砥石５０が軸無シリンダーの時には、ドクター刃研磨装置はチャッキングコーンからなるチャッキング機構を備える。いずれのシリンダー形状においてもドクター刃研磨装置はシリンダー型砥石５０を所定の回転速度で回転駆動させる回転機構を備える。
【００１４】
シリンダー型砥石５０は周面に研磨砥粒粉が敷設され、該周面が研磨部となる。研磨砥粒粉は、例えば、６０００個／ｉｎｃｈ2の密度で敷き詰められている。
【００１５】
ドクター刃１００はグラビアシリンダーの版面に余分に供給されたインキを掻き取るための薄板であり、金属製やセラミック製が一般的である。通常は、例えば、０．０１ｍｍ〜１．０ｍｍの厚さを有し、押圧することにより撓み、版面に馴染んで密着する。
【００１６】
ドクター刃の研磨によってシリンダー型砥石５０表面にはドクター刃１００の磨耗粉が付着・残存する。ドクター刃研磨装置内において、ドクターホルダ１０と対向するように設けられた土台治具と、土台治具に付設される除去具２００と、除去具を研磨部に押圧する手段１３０によって除去手段が構成される。
シリンダー型砥石５０の長手方向に平行に移動する手段は、例えば、ボールネジからなる左右直動案内１１０ａ，１１０ｂに土台治具が取り付けられ、端部に設けられた駆動手段１６０より構成される。駆動手段は例えば、モーターを用いることができる。
研磨面から磨耗粉を除去する手段としては、例えば、ブラシにより構成される。該ブラシは一定除去領域を覆うものを用い、左右直動案内および駆動手段により、シリンダー型砥石の長手方向に走査することにより、シリンダー型砥石周面に付着する磨耗粉を除去することができる。また、所定除去領域内全体を覆うブラシを用いることにより、所定除去領域内の磨耗粉を走査せずに除去でき、作業時間を短縮でき、さらに好適である。除去具を研磨部へ押圧する手段はエアシリンダーおよび前後直動案内１２０ａ，１２０ｂから構成される。前後直動案内１２０ａ，１２０ｂに沿って、エアシリンダ１３０によって除去具をシリンダー型砥石に対して着脱位置へ移動させ、ブラシがシリンダー型砥石５０へ加圧されながら直接接することを可能とする。また図面において指示しないが、土台治具は左右直動案内１１０ａ，１１０ｂに沿って移動可能であり、除去具の付設ならびにエアシリンダーの搭載が可能な架台である。
本願は上記構成に限るものではない。また、ドクターホルダと除去手段との位置関係は必ずしも対向している必要はなく、除去手段は研磨面を除去具により本発明の効果を満たす除去が可能な位置にあればよいものとし、図面はその一態様である。
【００１７】
磨耗粉の除去工程において下方に設置された浸水部に潤滑水が供給される。シリンダー型砥石の研磨部の下面は潤滑水に浸ることになる。ブラシによって、潤滑水が供給された研磨面から磨耗粉を掻き出し、研磨部から浮き上がった磨耗粉は再び浸水部に浸ることによって研磨部から洗い落とされる。これにより磨耗粉の除去をさらに確実に行うことができる。
【００１８】
以上の構成において、次に本発明のドクター刃研磨装置における動作の一例について図６を参照して説明する。図６は本発明のドクター刃研磨装置におけるドクター刃の研磨およびドクター刃磨耗粉を除去する過程の一例を示すフロー図である。
（１）研磨準備（ステップＳ１）
まず、これから印刷を行うグラビア印刷機専用のドクターホルダ１０に研磨前のドクター刃１００を固定する。ドクター刃１００が保持固定されたドクターホルダ１０を本発明のドクター刃研磨装置に取り付ける。このとき、シリンダー型砥石５０は予めドクター研磨装置に設置されているものとする。また、予め設置していない場合は、本ステップ以前にシリンダー型砥石５０のドクター刃研磨装置への装着が行われるものとする。
【００１９】
（２）研磨条件設定（ステップＳ２）
次に、作業者はドクター刃研磨装置における研磨角度を除く研磨条件の設定を行う。研磨条件としては、例えば、ドクター加圧力、研磨時間、シリンダー型砥石の回転速度、等が挙げられる。
【００２０】
（３）研磨角度設定（ステップＳ３）
作業者はドクター刃研磨装置における研磨角度の設定を行う。研磨角度は印刷を行うときに接触させたドクター刃１００の研磨面と版面とが一致する角度となるように設定する。研磨角度の設定は前述の前後調整機構３０ａ,３０ｂと上下調整機構４０とを調整し、ドクター刃１００の刃先とシリンダー型砥石５０の周面との相対的な位置関係を調整することにより研磨角度を設定する。
【００２１】
（４）研磨（ステップＳ４）
作業者はドクター研磨装置の操作盤の研磨スタートボタンを押す。これによってシリンダー回転機構が動作し、シリンダー型砥石５０が回転しながら加速し、設定された回転速度で定速運転に入る。その状態で、ドクター架台２０が脱位置の状態から着位置の状態に変位し、ドクター刃が回転するシリンダー型砥石５０に当接され、刃先の研磨が行われる。一定時間経過後に研磨作業を停止する。この停止動作は、着位置のドクター刃を脱位置の状態にし、回転機構にブレーキが働くことにより円筒本体部分の回転速度を減速停止する流れでもよいし、またその逆の流れでもよい。作業効率上、シリンダー型砥石５０が回転状態を維持したまま、次のステップに移行しても良いものとする。
【００２２】
（５）ドクター取外し（Ｓ５）
作業者はドクター刃が保持固定されたドクターホルダ１０を本発明のドクター刃研磨装置から取り外す。研磨作業後のドクターの研磨面には前記ステップの研磨により磨耗粉が付着しているため、不織布等により払拭し除去する。
【００２３】
（６）除去準備（ステップＳ６）
作業者はドクター研磨装置の操作盤の除去スタートボタンを押す。これによりシリンダー型砥石５０の下方に設けられた受皿１７０に潤滑水１８０が用意され、図５に示すようにシリンダー型砥石下面が潤滑水に浸る。潤滑水はたとえばフィルター等で濾過した水等が挙げられる。回転状態にあるシリンダー型砥石５０（停止状態にあるときは前記ステップＳ５の後に、シリンダー型砥石５０の回転を始動する）に対して、エアシリンダー１３０が作用しブラシが脱位置から着位置へ移動し、シリンダー型砥石５０の研磨部に直接接する。
【００２４】
（７）磨耗粉除去（ステップＳ７）
前工程によりシリンダー型砥石５０の研磨部に当接したブラシ２００を左右直動案内１１０ａ，１１０ｂに従い、所定除去領域内を走査させていく。シリンダー型砥石５０の周面に付着した磨耗粉をムラなく除去するには、例えば、一定時間ごとに除去領域内を移動し走査する方式が挙げられる。
【００２５】
（８）運転停止（ステップＳ８）
作業者はドクター刃研磨装置の操作盤のストップボタンを押す。これによりブラシ２００の走査を終了し、着位置から脱位置へと移動し、回転駆動手段の動作が停止される。
またドクター刃の研磨およびシリンダー砥石表面からの磨耗粉除去作業は、運転時間を予め設定しておき、タイマー機構により自動的に終了するようなものでもよいものとする。本発明に係るドクター刃研磨装置の動作およびドクター刃研磨方法が上述のステップに限定されるものではない。
【００２６】
以上のステップにより、ドクターホルダ１０によって保持されたドクター刃１００の研磨が完了し、ドクター刃の刃先には実際の印刷版面に一致した研磨面が形成されている。また、除去手段によりシリンダー型砥石５０周面に設けられた研磨部に付着・残存するドクター刃の磨耗粉が除去される。そのためドクター刃研磨面の研磨具合のバラつきをなくすことができ、品質不良の少ないグラビア印刷が可能となる。
【図面の簡単な説明】
【００２７】
【図１】本発明のドクター刃研磨装置においてシリンダー型砥石を使用して研磨するときの態様の一例を示す概略図である。
【図２】本発明のドクター刃研磨装置における研磨部の一例を示す上面図である
【図３】本発明のドクター刃研磨装置における研磨部の一例を示す断面図である。
【図４】本発明のドクター刃研磨装置における除去手段の一例を示す上面図である。
【図５】本発明のドクター刃研磨装置における除去手段の一例を示す断面図である。
【図６】本発明のドクター研磨装置における研磨および磨耗粉除去の過程の一例を示すフロー図である。
【符号の説明】
【００２８】
１０    ドクターホルダ
１１ａ    ホルダ上板
１１ｂ    ホルダ下板
２０    ドクター架台
３０ａ  ,  ３０ｂ    前後調整機構
３１ａ  ,  ３１ｂ    前後調整ハンドル
４０    上下調整機構
５０    シリンダー型砥石
１００    ドクター刃
１１０ａ，１１０ｂ  左右直動案内
１２０ａ，１２０ｂ  前後直動案内
１３０  エアシリンダー
１４０  ボールネジ
１５０  カップリング
１６０  駆動手段
１７０  受皿
１８０  潤滑水
２００    除去具
【図１】
2008221449.tif 000003
【図２】
2008221449.tif 000004
【図３】
2008221449.tif 000005
【図４】
2008221449.tif 000006
【図５】
2008221449.tif 000007
【図６】
2008221449.tif 000008